(57)【特許請求の範囲】
【請求項１】
操作表示部と主制御部を有し、前記主制御部は、複数の表示素子を行と列のマトリックス的に点灯制御するため一度に点灯する表示マトリックスの列を指定する列信号出力部と、前記列信号出力部の各信号出力に同期して各行の表示素子の点灯消灯制御信号を出力する行信号出力部と、前記行信号出力部の出力信号を前記列信号出力部の出力信号に同期して保持しシリアル信号にして出力する並列直列変換部とを有し、前記操作表示部は、操作を受け付けるための複数のキースイッチが並んだキーマトリックス部と、複数の表示素子が配置されこれらが行と列のマトリックス的に点灯制御される表示マトリックス部と、前記主制御部の並列直列変換部からのシリアル信号を受け取りパラレル信号に変換し前記表示マトリックス部の行信号として出力する直列並列変換部とを有し、前記操作表示部を搭載した回路基板と、前記主制御部を搭載した回路基板を分けて設け、前記操作表示部を搭載した回路基板を本体の前部に配置した全自動洗濯機。
【請求項２】
並列直列変換部からのシリアル信号を高周波で変調して送信する変調部と、前記変調部からの高周波信号を受信して復調する受信部とを設け、前記受信部の出力を直列並列変換部の入力信号とする請求項１記載の全自動洗濯機。
【請求項３】
操作表示部は、主制御部からのシリアル信号をもとに多相クロックを出力し、この出力信号を表示マトリックスの列とキーマトリックスの列を指定するための第２の列信号とする分周器と、前記第２の列信号と交差しかつキーが押されて列信号が印加されることでそれぞれ異なった周波数の信号を出力する発振部とを有し、主制御部は、前記発振部からのそれぞれの周波数を検知する信号検知部を有し、前記主制御部は、前記信号検知部の出力をキー入力情報として受け付けるようにした請求項１記載の全自動洗濯機。
【発明の詳細な説明】
【０００１】
【発明の属する技術分野】
本発明は、電子制御式の操作入力部と表示部を備えた全自動洗濯機において、操作入力部または表示部とマイクロコンピュータなどを用いた主制御部との間を少ない信号線で接続するための信号伝送に関するものである。
【０００２】
【従来の技術】
従来この種の全自動洗濯機の操作・表示部と主制御部との接続は図１４のようになっていた。図１４において１はマイクロコンピュータを用いた主制御部、２は１２個のキースイッチを持ったキーマトリックス、３は１６個のＬＥＤからなる表示素子を持った表示マトリックスである（行と列の格子点の丸印は表示素子としてのＬＥＤが配置されていることを示す）。４はキーマトリックス２及び表示マトリックス３へ列信号を出力する列信号出力部、５はキーマトリックス２から列信号出力部４からの各列信号に同期して列ごとのキースイッチ入力情報を受け取るキー入力部、６は列信号出力部４からの各列信号に同期して表示マトリックス３に列ごとの表示制御信号を出力する行信号出力部である。
【０００３】
一般に全自動洗濯機には洗濯槽下部のパルセータを回転させたり脱水槽を回転させたりするモータや、電磁マグネット式の排水弁や給水弁等が備えられている。このため主制御部１はこれらのモータや電磁弁を制御するためのトライアックなどの電力制御素子を制御する機能を持つ必要がある。また、電子回路でもあるため商用の交流１００Ｖ電源から直流の５Ｖ電源を作り出す安定化電源回路も必要である。これらの結果、操作をしたり動作表示を確認するための洗濯機の前面パネル部分には、電源回路とモータなどを制御するトライアックなどの電力制御回路を持った主制御部と操作表示部の回路基板を実装する必要がある。これらの基板は小型化が困難で洗濯機の前面パネル部分に大きな容積が必要である。このため図１６に示すように洗濯物の出し入れ口である前面パネルの高さは低くできず洗濯物の出し入れのやりにくさの主原因となっていた。図１６において１０１は全自動洗濯機のボディ前面、１０２はボディ後面である。１０３は洗濯槽、１０４は洗濯槽１０３の中で回転する脱水槽である。１０５は洗濯物を出し入れする口をふさぐフタである。１０６は図１４に示した制御回路を乗せた制御回路基板である。この制御回路基板１０６は上下の２枚構成になっており上の基板には操作スイッチや表示のための発光ダイオード等の操作表示部にかかわる部品が実装されている。制御回路基板１０６の下の基板には主制御部であるマイクロコンピュータや電源トランスを持った電源回路及び、モータの回転などを制御するトライアック等の電力制御素子などが実装されている。ボディ前面１０１の上方に前面パネル１０７が設置されており、回路基板１０６を覆っている。１０８はモータであり、脱水槽１０４下部のパルセータ１１３を回したり、脱水時に脱水槽１０４を回転させるためのものである。パルセータ１１３は洗濯時に水流を起こす回転羽である。１０９は給水弁であり水道水を洗濯槽１０３に入れたり止めたりするためのものである。１１０は排水弁であり洗濯槽１０３に貯めた水を排水するときに制御するものである。１１１は目かケースであり、パルセータだけを回すか脱水槽を回すかを機械的に切り替えるための装置である。このメカケース１１１は排水弁１１０と共に脱水時に制御される。１１２はモータ１０８の回転トルクを脱水槽１０４やパルセータ１１３に伝えるためのベルトである。
【０００４】
次に図１４の従来の洗濯機の操作・表示部の操作入力管理及び表示制御の動作について説明する。図１５は従来の洗濯機の一実施例の操作・表示制御の動作を説明する図である。図１５において、列信号出力部４の４本の出力４ａ、４ｂ、４ｃ及び４ｄには周期的に図１５（Ａ）に示すような４相クロックが出力されており、この４相クロックはキーマトリックス２及び表示マトリックス３に加えられている。キー入力部５は列信号出力部４の４本の出力４ａ、４ｂ、４ｃ及び４ｄの各クロックがハイレベルのとき、各クロックのほぼ中央のタイミングでキーマトリックス２の行信号である２ａ、２ｂ及び２ｃの３入力を同時に入力する。もし、第２列３行目のスイッチが押されているとすると列信号４ｂがハイレベルを出したときに行信号２ｃだけがハイレベルになりキー入力部５は００１という信号を入力できる。また、第４列１行目のスイッチが押されているとすると列信号４ｄがハイレベルを出したときに行信号２ａだけがハイレベルになりキー入力部５は１００という信号を入力できる。このように、キー入力部５は列信号出力部４の４本の出力４ａ、４ｂ、４ｃ及び４ｄのいずれかのクロックがハイレベルのときのほぼ中央のタイミングでキーマトリックス２の行信号である２ａ、２ｂ及び２ｃの３入力を常時同時に入力しどの列の何行目のキースイッチが押されたかを検知するものである。
【０００５】
行信号出力部６は列信号出力部４の４本の出力４ａ、４ｂ、４ｃ及び４ｄの各クロックがハイレベルのときに表示する列に含まれる表示素子の点灯消灯制御信号を信号線６ａ、６ｂ、６ｃ及び６ｄに出力する。例えば図１５（Ｄ）のように点灯する場合は、図１５（Ｃ）のように列信号線４ａがハイレベルになり第１列が選択されているときには行信号出力６は出力信号線６ａ、６ｂ、６ｃ及び６ｄに００１１を出力する。つまり、行信号出力６のローレベルになった出力に列信号出力４のハイレベル出力からの電流が表示素子であるＬＥＤを介して流れることでＬＥＤを点灯させる。７ａ、７ｂ、７ｃ及び７ｄはＬＥＤに流れる電流を制限する抵抗器である。
【０００６】
【発明が解決しようとする課題】
このような構成では、洗濯物の取り出し口を低くするために主制御部だけを操作表示部から離れたところに置こうとすると、列信号出力線と行信号出力線及びキーマトリックスの行信号線の束を引き回す必要があった。しかし、このような線の束を洗濯機の機内に這わせるには施工性が悪くまたノイズにも弱く、誤動作を引き起こしやすいという課題があった。
【０００７】
本発明は、表示マトリックスへ接続する行信号出力線を省線化し、施工性が良く、ノイズに強い洗濯機を提供することを目的とする。
【０００８】
【課題を解決するための手段】
本発明の洗濯機は、並列直列変換器及び直列並列変換器を用いることで表示マトリックスへ接続する行信号出力線を省線化し、さらにシリアルに変換した行信号を高周波で変調して送ることでノイズに強くすることができるものである。
【０００９】
【発明の実施の形態】
本発明の請求項１記載の発明は、操作表示部と主制御部を有し、前記主制御部は、複数の表示素子を行と列のマトリックス的に点灯制御するため一度に点灯する表示マトリックスの列を指定する列信号出力部と、前記列信号出力部の各信号出力に同期して各行の表示素子の点灯消灯制御信号を出力する行信号出力部と、前記行信号出力部の出力信号を前記列信号出力部の出力信号に同期して保持しシリアル信号にして出力する並列直列変換部とを有し、前記操作表示部は、操作を受け付けるための複数のキースイツチが並んだキーマトリックス部と、複数の表示素子が配置されこれらが行と列のマトリックス的に点灯制御される表示マトリックス部と、前記主制御部の並列直列変換部からのシリアル信号を受け取りパラレル信号に変換し前記表示マトリックス部の行信号として出力する直列並列変換部とを有し、前記操作表示部を搭載した回路基板と、前記主制御部を搭載した回路基板を分けて設け、前記操作表示部を搭載した回路基板を本体の前部に配置したものである。この構成により、並列直列変換器及び直列並列変換器を用いることで表示マトリックスへ接続する行信号出力線を省線化できるものである。
【００１０】
本発明の請求項２記載の発明は、請求項１記載の発明において、並列直列変換部からのシリアル信号を高周波で変調して送信する変調部と、前記変調部からの高周波信号を受信して復調する受信部とを設け、前記受信部の出力を直列並列変換部の入力信号とするものであり、表示マトリックスへ接続する行信号出力線を省線化し、さらにシリアルに変換した行信号を高周波で変調して送ることでノイズに強くすることができるものである。
【００１１】
本発明の請求項３記載の発明は、請求項１記載の発明において、操作表示部は、主制御部からのシリアル信号をもとに多相クロックを出力し、この出力信号を表示マトリックスの列とキーマトリックスの列を指定するための第２の列信号とする分周器と、前記第２の列信号と交差しかつキーが押されて列信号が印加されることでそれぞれ異なった周波数の信号を出力する発振部とを有し、主制御部は、前記発振部からのそれぞれの周波数を検知する信号検知部を有し、前記主制御部は、前記信号検知部の出力をキー入力情報として受け付けるようにしたものであり、シフトクロックが不要になり、かつ、高い周波数で変調するためノイズに強い状態で省線化が図れるものである。
【００１２】
以下、本発明の実施の形態を図面にもとづいて説明する。
【００１３】
（実施の形態１）
図１は第１の発明の回路構成図、図３は動作説明図である。
【００１４】
図１において従来例と同じものには同一番号を付している。１はマイクロコンピュータからなる主制御部で表示をマトリックス的に管理するための列信号出力部４と行信号出力部６を有している。１４は４ビットの並列入力直列出力シフトバッファであり、行信号出力部６の出力信号６ａ、６ｂ、６ｃ及び６ｄの４ビットの値を列信号出力部４のクロックの立ち上がりに同期して入力保持する。保持したデータは主制御部１からのシフトクロック１１に同期して１ビットづつ下にシフトし、データ線１０にデータを出力する。８はＯＲ回路であり列信号線４ａ、４ｂ、４ｃ及び４ｄのそれぞれのクロック立ち上がり時に並列入力直列出力シフトバッファ１４にデータ入力保持のためのトリガ信号を与えるためのものである。９は４ビットの直列入力並列出力シフトバッファであり、主制御部１からのシフトクロック１１に同期してデータ線１０上のデータを入力しては１ビットづつ上にシフトしていくものである。ここで主制御部１が出すシフトクロックは、列信号クロック４ａ、４ｂ、４ｃ及び４ｄの周期よりも十分速く、シフトクロックが４発出ている間の直列入力並列出力シフトバッファ９の出力データの細かい変化は人間の目に意識されない程度の速さのものである。直列入力並列出力シフトバッファ９は４ビット入力し終わるとその４ビットのデータを保持し第２の行信号として行信号線９ａ、９ｂ、９ｃ及び９ｄに出力する。１２は列信号線４ａ、４ｂ、４ｃ及び４ｄを列信号入力、行信号線９ａ、９ｂ、９ｃ及び９ｄを行信号入力とする４×４の表示マトリックスであり、列信号線４ａ、４ｂ、４ｃ及び４ｄのそれぞれがハイレベルになったときに行信号線９ａ、９ｂ、９ｃ及び９ｄのローレベルになっているところの交点のＬＥＤに電流が流れ点灯表示する。
【００１５】
このように並列直列変換シフトバッファ１４及び直列並列変換シフトバッファ９を用いることで表示マトリックスへ接続する行信号出力線を省線化できる。この結果第２図に示すように操作表示部だけを前面パネルのところに配置し、容積の大きい主制御部はボディ後部に置くことができ、前面パネル部分を大幅に低くできる。
【００１６】
（実施の形態２）
図４は、洗濯機表示制御部の構成を示し、１５は並列直列変換シフトバッファ１４の出力データ１０の値が０のときは１３０ｋＨｚを出力し、１のときには１６０ｋＨｚを出力するといった周波数変調を行うＦＳＫ送信部である。並列直列変換シフトバッファ１４の出力データ１０の内容は第１の発明一実施例の説明の場合と全く同じである。１６は１３０ｋＨｚを受信したときに出力１６ａにデータ０を出力し、１６０ｋＨｚを受信したときにはデータ１を出力するといった周波数変調波を復調するＦＳＫ受信部である。ＦＳＫ受信部１６のデータ出力１６ａからは実施の形態１で示したシリアル信号１０と同じものが出力されるため直列入力並列出力シフトバッファ９は実施の形態１と同じ動作により表示マトリックス１２の表示素子を点灯消灯制御できかつシリアルデータを高い周波数で変調しているためノイズに対して強い伝送を実現できる。
【００１７】
この結果、図２に示すように操作表示部だけを前面パネルのところに配置し、容積の大きい主制御部はボディ後部に置くことができ、前面パネル部分を大幅に低くできる。
【００１８】
（参考例１）
図５は洗濯機の表示制御部を示し、図６はその動作を説明する図である。実施の形態２の図４と重複するところは説明を省略する。ＦＳＫ受信部１６は周波数復調データ１６ａ以外に、１３０ｋＨｚ及び１６０ｋＨｚのどちらも受信していないときにはキャリア検知出力１６ｂに０を出し、１３０ｋＨｚまたは１６０ｋＨｚのどちらかを受信しているときにはキャリア検知出力１６ｂに１を出す。１７は位相同期制御部（ＰＬＬ：フェーズロックドループ）でありキャリア検知出力１６ｂからのキャリア検知信号と後述の列信号１８ａとの位相を合わせるように出力クロック１７ａの周波数を制御する働きをするものである。１８は分周期であり位相同期制御部（ＰＬＬ）１７の出力１７ａを１６分周して図６に示すような４相のクロック１８ａ、１８ｂ、１８ｃ及び１８ｄを作り出すものである。位相同期制御部（ＰＬＬ）１７はクロック１８ａの立ち上がりエッジとＦＳＫ受信部１６のキャリア検知出力１６ｂの立ち下がりエッジが一致するように出力１７ａのクロックの周波数を制御する。
【００１９】
この結果、列信号出力部４のクロック４ａ、４ｂ、４ｃ及び４ｄの各クロックの位相に一致した４相のクロックが分周器１８の出力１８ａ、１８ｂ、１８ｃ及び１８ｄから得られ、ＦＳＫ受信部１６のデータ出力１６ａからは実施の形態１で示したシリアル信号１０と同じものが出力されるため直列入力並列出力シフトバッファ９は実施の形態１と同じ動作により表示マトリックス１２の表示素子を点灯消灯制御できる。この結果図２に示すように操作表示部だけを前面パネルのところに配置し、容積の大きい主制御部はボディ後部に置くことができ、前面パネル部分を大幅に低くできる。
【００２０】
（参考例２）
図７は洗濯機操作スイッチの制御部の構成を示し、図８はその動作を示す。２３は３行４列のキーマトリックスであり列信号４ａ、４ｂ、４ｃ及び４ｄは主制御部１の列信号出力部４から与えられている。行信号出力２３ａ、２３ｂ及び２３ｃは並列入力直列出力の３ビットシフトレジスタ２２の入力端子に与えられている。並列入力直列出力の３ビットシフトレジスタ２２のシフトクロック２２ａは主制御部１から与えられシフトレジスタのシリアルデータは出力２２ｂから主制御部１に入力される。
【００２１】
図８は第１列１行目、第２列１行目、第３列２行目及び第４列３行目の核スイッチが押されている場合の信号波形である。第１列目の入力を示す列信号４ａが出されたときにはキーマトリックス２３の行信号線２３ａ、２３ｂ及び２３ｃは順に１００になり、シフトレジスタ２２にシフトクロック２２ａの立ち上がりエッジが入る毎に下側の値から出力されるためデータ線２２ｂには００１が出力される。以下同様にキー入力された値がシフトレジスタ２２に保持されシフトクロック２２ａによってシリアルデータとして順に出力され主制御部１に入力される。これによりキーマトリックス２３の行信号が省線化される。この結果第２図に示すように操作表示部だけを前面パネルのところに配置し、容積の大きい主制御部はボディ後部に置くことができ、前面パネル部分を大幅に低くできる。
【００２２】
（参考例３）
図９は、操作スイッチの制御部の構成を示し、１０はその動作を示す。２３は３行４列のキーマトリックスであり列信号４ａ、４ｂ、４ｃ及び４ｄは主制御部１の列信号出力部４から与えられ抵抗器３０ａ、３０ｂ、３０ｃ及び３０ｄを介して接続されている。これらの抵抗器３０ａ、３０ｂ、３０ｃ及び３０ｄはすべて同じ抵抗値Ｒ０である。キーマトリックス２３の各行の右端はそれぞれ異なる抵抗値Ｒ１，Ｒ２及びＲ３を持った抵抗器３１ａ、３１ｂ及び３１ｃを介してアース電位（０Ｖ電位）に接続され、各行の左端はそれぞれバッファアンプ３２ａ、３２ｂ及び３２ｃの入力につながれている。さらに、バッファアンプ３２ａ、３２ｂ及び３２ｃの出力は加算器３３につながれている。加算器３３の出力３３ａは主制御部１のＡ／Ｄ変換部３４の入力に接続されている。
【００２３】
図１０は動作説明図であり、図９における第２列１行目のキーＡと第３列２行目のキーＢ及び代列３行目のキーＣが押されているとすると、列信号４ｂが出力されたタイミングでは抵抗器３０ｂの抵抗値Ｒ０と抵抗値３１ａの抵抗値Ｒ１との分割電圧Ｖ１がバッファアンプ３２ａの入力に印加される。また、列信号４ｃが出力されたタイミングでは抵抗器３０ｃの抵抗値Ｒ０と抵抗値３１ｂの抵抗値Ｒ２との分割電圧Ｖ２がバッファアンプ３２ｂの入力に印加される。さらに、列信号４ｄが出力されたタイミングでは抵抗器３０ｄの抵抗値Ｒ０と抵抗値３１ｃの抵抗値Ｒ３との分割電圧Ｖ３がバッファアンプ３２ｃの入力に印加される。加算器３３の出力３３ａは図１０の様に階段状になるが主制御部１は自己が列信号４ａ、４ｂ、４ｃ及び４ｄを出力しているため、どのタイミングの時の電位がどの列のときの電位かがわかり、電位をＡ／Ｄ変換部３４で検出することでどの行のキースイッチが押されたかを判別することができる。これによりシフトクロックが不要になるためキーマトリックス２３の行信号がさらに省線化される。この結果第２図に示すように操作表示部だけを前面パネルのところに配置し、容積の大きい主制御部はボディ後部に置くことができ、前面パネル部分を大幅に低くできる。
【００２４】
（実施の形態３）
図１１は洗濯機操作スイッチ制御部の構成を示し、図１２はその動作を示す。図１１において４１はキーマトリックス２３の行信号出力２３ａの信号によりｆ１（Ｈｚ）を送出する発信器である。同様に、４２はキーマトリックス２３の行信号出力２３ｂの信号によりｆ２（Ｈｚ）を送出する発信器であり、４３はキーマトリックス２３の行信号出力２３ｃの信号によりｆ３（Ｈｚ）を送出する発信器である。４４は通信線４９を介してｆ１（Ｈｚ）の信号を受信するとｆ１キャリアの検出を主制御部１へ通知するトーンデコーダである。同様に４５は、ｆ２（Ｈｚ）の信号を受信するとｆ２キャリアの検出を主制御部１へ通知するトーンデコーダであり、４６は、ｆ３（Ｈｚ）の信号を受信するとｆ３キャリアの検出を主制御部１へ通知するトーンデコーダである。
【００２５】
図１２は動作説明図であり、第１列１行目、第２列１行目、第３列２行目及び第４列３行目の核スイッチが押されている場合の各部の信号波形を示している。第１列目の入力を示す列信号４ａが出されたときにはキーマトリックス２３の行信号線２３ａ、２３ｂ及び２３ｃは順に１００になり、入力信号が１になった発信器４１がｆ１（Ｈｚ）を送出する。通信線４９を介してトーンデコーダ４４はｆ１キャリアの検出を行い主制御部１に通知する。主制御部１はどの列をスキャン中かを知っているためどのキーが押されたのかを特定できる。以下同様に処理が行われ第３列目の入力を示す列信号４ｃが出されたときにはキーマトリックス２３の行信号線２３ａ、２３ｂ及び２３ｃは順に０１０になり、入力信号が１になった発信器４２がｆ２（Ｈｚ）を送出する。通信線４９を介してトーンデコーダ４５はｆ２キャリアの検出を行い主制御部１に通知する。最後の第４列目の入力を示す列信号４ｄが出されたときにはキーマトリックス２３の行信号線２３ａ、２３ｂ及び２３ｃは順に００１になり、入力信号が１になった発信器４３がｆ３（Ｈｚ）を送出する。通信線４９を介してトーンデコーダ４６はｆ３キャリアの検出を行い主制御部１に通知する。これによりシフトクロックが不要になり、かつ、高い周波数で変調するためノイズに強い状態で省線化が図れる。この結果第２図に示すように操作表示部だけを前面パネルのところに配置し、容積の大きい主制御部はボディ後部に置くことができ、前面パネル部分を大幅に低くできる。
【００２６】
（参考例４）
図１３は、洗濯機操作スイッチ・表示制御部の構成を示す。図１３において、参考例１と同じく、ＦＳＫ受信部１６は周波数復調データ１６ａと、１３０ｋＨｚ及び１６０ｋＨｚのどちらも受信していないことを示すキャリア検知出力１６ｂを有する。１７は位相同期制御部（ＰＬＬ）（フェーズロックドループ）でありキャリア検知出力１６ｂからのキャリア検知信号と後述の列信号１８ａとの位相を合わせるように出力クロック１７ａの周波数を制御する働きをするものである。１８は分周期であり位相同期制御部（ＰＬＬ）１７の出力１７ａを１６分周して図７に示すような４相のクロック１８ａ、１８ｂ、１８ｃ及び１８ｄを作り出すものである。位相同期制御部（ＰＬＬ）１７はクロック１８ａの立ち上がりエッジとＦＳＫ受信部１６のキャリア検知出力１６ｂの立ち下がりエッジが一致するように出力１７ａのクロックの周波数を制御する。この結果、列信号出力部４のクロック４ａ、４ｂ、４ｃ及び４ｄの各クロックの位相に一致した４相のクロックが分周器１８の出力１８ａ、１８ｂ、１８ｃ及び１８ｄから得られ、ＦＳＫ受信部１６のデータ出力１６ａからは第１の発明の一実施例で示したシリアル信号１０と同じものが出力されるため直列入力並列出力シフトバッファ９は第１の発明の一実施例と同じ動作により表示マトリックス１２の表示素子を点灯消灯制御できる。
【００２７】
また、キーマトリックス２３の列信号線は分周器１８の出力の４相のクロック１８ａ、１８ｂ、１８ｃ及び１８ｄから得ている。４１はキーマトリックス２３の行信号出力２３ａの信号によりｆ１（Ｈｚ）を送出する発信器である。同様に、４２はキーマトリックス２３の行信号出力２３ｂの信号によりｆ２（Ｈｚ）を送出する発信器であり、４３はキーマトリックス２３の行信号出力２３ｃの信号によりｆ３（Ｈｚ）を送出する発信器である。ｆ１、ｆ２及びｆ３は１３０ｋＨｚ及び１６０ｋＨｚとは十分にかけ離れた周波数に設定されている。４４は通信線４９を介してｆ１（Ｈｚ）の信号を受信するとｆ１キャリアの検出を主制御部１へ通知するトーンデコーダである。同様に４５は、ｆ２（Ｈｚ）の信号を受信するとｆ２キャリアの検出を主制御部１へ通知するトーンデコーダであり、４６は、ｆ３（Ｈｚ）の信号を受信するとｆ３キャリアの検出を主制御部１へ通知するトーンデコーダである。図１２は動作説明図であり、第１列１行目、第２列１行目、第３列２行目及び第４列３行目の核スイッチが押されている場合の各部の信号波形を示している。第１列目の入力を示す列信号４ａが出されたときにはキーマトリックス２３の行信号線２３ａ、２３ｂ及び２３ｃは順に１００になり、入力信号が１になった発信器４１がｆ１（Ｈｚ）を送出する。通信線４９を介してトーンデコーダ４４はｆ１キャリアの検出を行い主制御部１に通知する。主制御部１はどの列をスキャン中かを知っているためどのキーが押されたのかを特定できる。以下同様に処理が行われ第３列目の入力を示す列信号４ｃが出されたときにはキーマトリックス２３の行信号線２３ａ、２３ｂ及び２３ｃは順に０１０になり、入力信号が１になった発信器４２がｆ２（Ｈｚ）を送出する。通信線４９を介してトーンデコーダ４５はｆ２キャリアの検出を行い主制御部１に通知する。最後の第４列目の入力を示す列信号４ｄが出されたときにはキーマトリックス２３の行信号線２３ａ、２３ｂ及び２３ｃは順に００１になり、入力信号が１になった発信器４３がｆ３（Ｈｚ）を送出する。通信線４９を介してトーンデコーダ４６はｆ３キャリアの検出を行い主制御部１に通知する。以上のように表示マトリックス１２へ接続する行出力信号線とキー入力マトリックス２３の各行信号線のタイミング情報と表示マトリックス１２及びキー入力マトリックス２３へいく列信号線の情報を１対の信号線４９に乗せることができ周波数変調しているためノイズに強くしながら省線化を図れる。
【００２８】
この結果、図２に示すように操作表示部だけを前面パネルのところに配置し、容積の大きい主制御部はボディ後部に置くことができ、前面パネル部分を大幅に低くできる。
【００２９】
【発明の効果】
以上に述べたように、本発明によれば、並列直列変換器及び直列並列変換器を用いることで表示マトリックスへ接続する行信号出力線を省線化できるとともに、操作表示部だけを前面パネルのところに配置して前面パネル部分を大幅に低くすることができる。
【図面の簡単な説明】
【図１】  本発明の実施の形態１における全自動洗濯機の表示制御部の構成図
【図２】  同全自動洗濯機の構成図
【図３】  同全自動洗濯機の表示制御部の動作説明図
【図４】  本発明の実施の形態２における全自動洗濯機の表示制御部の構成図
【図５】  本発明の参考例１における全自動洗濯機の表示制御部の構成図
【図６】  同全自動洗濯機の表示制御部の動作説明図
【図７】  本発明の参考例２における全自動洗濯機の操作スイッチ制御部の構成図
【図８】  同全自動洗濯機の操作スイッチ制御部の動作説明図
【図９】  本発明の参考例３における全自動洗濯機の操作スイッチ制御部の構成図
【図１０】  同全自動洗濯機の操作スイッチ制御部の動作説明図
【図１１】  本発明の実施の形態３における全自動洗濯機の操作スイッチ制御部の構成図
【図１２】  同全自動洗濯機の操作スイッチ制御部の動作説明図
【図１３】  本発明の参考例４における全自動洗濯機の操作スイッチ・表示制御部の構成図
【図１４】  従来の洗濯機の操作表示部の構成図
【図１５】  従来の洗濯機の操作表示部の動作説明図
【図１６】  従来の洗濯機の構成図
【符号の説明】
１  主制御部
２、２３  キーマトリックス部
３、１２  表示マトリックス部
４  列信号出力部
６  行信号出力部
９  直列入力並列出力シフトバッファ
１４  並列入力直列出力シフトバッファ
１５  ＦＳＫ送信部
１６  ＦＳＫ受信部
１７  位相同期制御部（ＰＬＬ）
１８  分周器
３３  加算器
３４  Ａ／Ｄ変換部
４１、４２、４３  発信器
４４、４５、４６  トーンデコーダ
１０３  洗濯槽
１０４  脱水槽
１０８  モータ
１０９  給水弁
１１０  排水弁
１１１  メカケース
１１３  パルセータ
１２０  主制御基板
１２１  操作表示部回路基板
【図１】
0003799632.tif 000002
【図２】
0003799632.tif 000003
【図３】
0003799632.tif 000004
【図４】
0003799632.tif 000005
【図５】
0003799632.tif 000006
【図６】
0003799632.tif 000007
【図７】
0003799632.tif 000008
【図８】
0003799632.tif 000009
【図９】
0003799632.tif 000010
【図１０】
0003799632.tif 000011
【図１１】
0003799632.tif 000012
【図１２】
0003799632.tif 000013
【図１３】
0003799632.tif 000014
【図１４】
0003799632.tif 000015
【図１５】
0003799632.tif 000016
【図１６】
0003799632.tif 000017